(57)【要約】      （修正有）【課題】粘着テープに簡単な操作で、迅速にループ状のつまみを作成するループ状つまみ作成具を提供する。【解決手段】ロール状の粘着テープを備えるテープカッターの後方に装着され、先端にテープガイド面１１aを有するベース板１１と、このベース板に対し所定の間隔をおいて設置された粘着テープを切断するテープ切断部１２と、先端にテープセット面１３aを有し、テープ切断部とベース板との間を前後方向に搖動する可動板１３とよりなり、テープ切断部をベース板のテープガイド面より下方に位置させるとともに、可動板の前記テープセット面がテープ切断部とベース板のテープガイド面との間を上下方向に移動可能にし、可動板の下端に弾性部材１５を介在し、この弾性部材により可動板を上方に附勢し、粘着テープのテープセット面の切断個所をテープガイド面に位置する粘着テープに接着させてループ状のつまみを作成する。【選択図】図２
2014227240.tif 000002
【特許請求の範囲】
【請求項１】
前方にロール状の粘着テープを備えるテープカッターの後方に装着され、先端にテープガイド面を有するベース板と、
このベース板に対し所定の間隔をおいて設置された前記粘着テープを切断するテープ切断部と、
先端にテープセット面を有し、前記テープ切断部と前記ベース板との間を前後方向に搖動する可動板とよりなり、
前記粘着テープの前記テープセット面の切断個所を前記テープガイド面に位置する前記粘着テープに接着させてループ状のつまみを作成することを特徴とするループ状つまみ作成具。
【請求項２】
前記粘着テープを切断する前記テープ切断部を前記ベース板の前記テープガイド面より下方に位置させるとともに、前記可動板の前記テープセット面が前記テープ切断部と前記ベース板の前記テープガイド面との間を上下に移動可能にしたことを特徴とする請求項１に記載のループ状つまみ作成具。
【請求項３】
前記可動板の下端にバネ部材を介在し、このバネ部材により前記可動板を上方に附勢したことを特徴とする請求項２に記載のループ状つまみ作成具。
【発明の詳細な説明】
【技術分野】
【０００１】
この発明は、一面に粘着剤が塗布された粘着テープにループ状のつまみを作成するループ状つまみ作成具に関する。
【背景技術】
【０００２】
一面に粘着剤が塗布されたテープは、家庭用、事務用、商業用、工業用等の各種用途に広く汎用されている。特に、商店・百貨店・スーパー等での買物の商品包装の封、書類・図面等の一時的位置決め、ポスター・表等の掲示等であり、これらの使用において、一旦粘着されたテープを用済み後に引剥がしたいことがしばしば発生する。
【０００３】
このような場合、テープの端部に粘着剤が露出していないつまみを設けこれを引っ張ることにより、引剥しが容易に可能となるので、従来からこのつまみを形成するつまみ作成具を備えた各種のテープカッターがあった。
【先行技術文献】
【特許文献】
【０００４】
【特許文献１】特開２００１−１９９６１９号公報
【特許文献２】特開２００６−２４８７７６号公報
【発明の概要】
【発明が解決しようとする課題】
【０００５】
ところで、従来のテープカッターに備えたつまみを形成するつまみ作成具は、一面に粘着剤が塗布されたテープを切断したテープの切断刃を前後方向に移動させることにより、切断部を折り返し粘着面に接着させてループ状のつまみを作成する構造になっている。
【０００６】
この構造では、テープの切断刃を前後方向に移動させるため、つまみ作成具に大きな力が加わり、つまみ作成具の接続箇所が動いて切断刃が手、指に接触し易く、しかもループ状のつまみの作成が難しくなり、接続箇所が破損するとテープカッターが使用できなくなる。このために接続箇所を補強する場合には、テープカッターが大型化して卓上に広い設置スペースを確保する必要が生じることになる。
【０００７】
この発明は、かかる実情に鑑みてなされたもので、簡単な操作で、かつ迅速に粘着テープにループ状のつまみを作成することが可能なループ状つまみ作成具を提供することを目的としている。
【課題を解決するための手段】
【０００８】
前記課題を解決し、かつ目的を達成するために、この発明は、以下のように構成した。
【０００９】
請求項１に記載の発明は、前方にロール状の粘着テープを備えるテープカッターの後方に装着され、先端にテープガイド面を有するベース板と、
このベース板に対し所定の間隔をおいて設置された前記粘着テープを切断するテープ切断部と、
先端にテープセット面を有し、前記テープ切断部と前記ベース板との間を前後方向に搖動する可動板とよりなり、
前記粘着テープの前記テープセット面の切断個所を前記テープガイド面に位置する前記粘着テープに接着させてループ状のつまみを作成することを特徴とするループ状つまみ作成具である。
【００１０】
請求項２に記載の発明は、前記粘着テープを切断する前記テープ切断部を前記ベース板の前記テープガイド面より下方に位置させるとともに、前記可動板の前記テープセット面が前記テープ切断部と前記ベース板の前記テープガイド面と間を上下方向に移動することを特徴とする請求項１に記載のループ状つまみ作成具である。
【００１１】
請求項３に記載の発明は、前記可動板の下端にバネ部材を介在し、このバネ部材により前記可動板を上方に附勢したことを特徴とする請求項２に記載のループ状つまみ作成具である。
【発明の効果】
【００１２】
前記構成により、この発明は、以下のような効果を有する。
【００１３】
請求項１に記載の発明では、前方にロール状の粘着テープを備えるテープカッターの後方に装着され、先端にテープガイド面を有するベース板と、このベース板に対し所定の間隔をおいて設置された前記粘着テープを切断するテープ切断部と、先端にテープセット面を有し、前記テープ切断部と前記ベース板との間を前後方向に搖動する可動板とよりなり、
前記粘着テープの前記テープセット面の切断個所を前記テープガイド面に位置する前記粘着テープに接着させてループ状のつまみを作成するので、簡単な操作で、迅速にループ状のつまみを作成することができる。
【００１４】
請求項２に記載の発明では、前記粘着テープを切断する前記テープ切断部を前記ベース板の前記テープガイド面より下方に位置させるとともに、前記可動板の前記テープセット面が前記テープ切断部と前記ベース板の前記テープガイド面との間を上下方向に移動可能にしたので、粘着テープの切断が確実になり、常に一定のつまみの長さが確保できる。
【００１５】
請求項３に記載の発明では、前記可動板の下端にバネ部材を介在し、このバネ部材により前記可動板を上方に附勢したので、可動板の作動が円滑になり、つまみの作成が容易にできる。
【図面の簡単な説明】
【００１６】
【図１】テープカッターの全体構成を示す側面図である。
【図２】ループ状つまみ作成具を示す斜視図である。
【図３】ループ状つまみ作成具を示す正面図である。
【図４】図３のＡ−Ａ線を示す断面図である。
【図５】ループ状つまみ作成具の可動板を示す側面図および正面図である。
【図６】ループ状のつまみを作成する状態を説明する図である。
【発明を実施するための形態】
【００１７】
以下、この発明のループ状つまみ作成具の実施の形態について説明する。
この発明の実施の形態は、発明の最も好ましい形態を示すものであり、この発明はこれに限定されない。
【００１８】
この実施の形態のループ状作成具を、図１乃至図６に基づいて説明する。図１はテープカッターの全体構成を示す側面図、図２はループ状つまみ作成具を示す斜視図、図３はループ状つまみ作成具を示す正面図、図４は図３のＡ−Ａ線を示す断面図、図５はループ状つまみ作成具の可動板を示す側面図および正面図、図６はループ状のつまみを作成する状態を説明する図である。
【００１９】
この実施の形態のテープカッター１は一面に粘着剤が塗布されたロール状      の粘着テープTを回転自在に支持するテープ保持部２と、このテープ保持部２より後方の位置で起立する塔部３を備え、この塔部３の後面には前記粘着テープTの切断端に折り返しを作成するループ状つまみ作成具１０が取付けられる。
【００２０】
前記ループ状つまみ作成具１０は、先端にテープガイド面１１ａを有するべース板１１と、このベース板１１に対して所定の間隔をおいてテープ切断部１２を設置する。
【００２１】
前記ベース板１１は、例えば樹脂などで成形され、両側には左右一対のフランジ１１bと、このフランジ１１ｂの下端を連結する基部１１fを有する。
【００２２】
前記テープ切断部１２は、前記粘着テープTを所定長さに切断するため、先端に鋸刃１２aを形成し、前記ベース板１１の前記テープガイド面１１aより下方に位置させる。
【００２３】
前記テープ切断部１２と前記ベース板１１との間には、前後方向に搖動する可動板１３があり、前記可動板１３は打ち抜き板金よりなり、先端に平坦状のテープセット面１３ａを形成するとともに下端を略水平になるように屈曲して座面１３bを形成する。
【００２４】
さらに、前記可動板１３は上下方向に移動可能にし、前記テープセット面１３aを前記テープ切断部１２と前記テープガイド面１１aとの間を移動させるとともに、前記可動板１３の左右の動きを前記ベース板１１のフランジ１１bにより規制する。
【００２５】
前記可動板１３の両側縁の下方には第一突起１３ｃが、上方には第二突起１３ｄが形成され、前記第一突起１３ｃは前記ベース板１１の前記フランジ１１bの下方に穿設した略逆三角形状の縦溝１１ｃに嵌合し、前記第二突起１３ｄは前記フランジ１１bの上方に穿設した略三角形状の横溝１１ｄに嵌合する。
なお、前記座面は１３bは図５（a）に示しように、前記可動板１３の下端を前記第一突起１３cより屈曲して形成している。
【００２６】
前記可動板１３の前記第一突起１３cと前記第二突起１３dは前記フランジ１１bの前記縦溝１１cと前記横溝１１dに案内されながら前後方向に搖動しながら上下方向に移動する。
【００２７】
前記横溝１１dには設けた凸部１１eを設け、で、前記可動板１３の前方への搖動時には前記凸部１３eの下面を沿い、後方への搖動時には前記凸部１３eの上面を沿って案内される。
【００２８】
前記可動板１３を上方に附勢するよう前記フランジ１１bの前記基部１１fと前記可動板１３の前記座面１３bとの間にバネ部材１５を介在する。なお、前記バネ部材１５はコイル状バネで構成される。
【００２９】
前記バネ部材１５の前記コイル状バネの下方が固定端となり、上方が自由端になるように、前記コイル状バネの下端を前記基部１１fに穿設した孔に嵌め込み、上端を前記座面１３bに当接させ、これにより、前記可動板１３を上下方向の移動と、前記第一突起１３cを支点にしながら前後方向に傾くように搖動させることができる。
【００３０】
前記テープのつまみ作成具１０を用いて前記粘着テープＴにループ状のつまみＴｃを作成する場合には、図６に示すように、前記テープカッター１の前記テープ保持部２に支持された前記粘着テープＴの端部を引き出し、前記粘着テープＴを前記可動板１３の前記テープセット面１３ａに接着させて前記粘着テープＴの端を引くと、前記可動板１３が後方に搖動する。
【００３１】
前記可動板１３の前記第二突起１３dと前記第一突起１３cが前記横溝１１ｃと前記縦溝１１bに案内されることにより、前記可動板１３が後方に搖動しながら下方に移動し、前記可動板１３が前記テープ切断部１２に当接する。
【００３２】
前記粘着テープＴが切断位置になると、前記テープ切断部１２によって切断され、この切断時には前記粘着テープＴは前記ベース板１１の前記テープガイド面１１aに固着されていることになる（図６（ａ））。
【００３３】
前記粘着テープＴが切断されると、前記可動板１３は前記バネ部材１５の附勢力により、前記第一突起１３cが前記縦溝１１c内で、前記第二突起１３dが前記横溝１１d内で案内され、前記テープ切断部１２より上昇しながら前方に搖動し、前記可動板１３の前記テープセット面１３aが前記ベース板１１の前記テープガイド面１１aに近接する（図６（ｂ））。
【００３４】
前記可動板１３の前記テープセット面１３aに接着している前記粘着テープＴの前記粘着面Ｔｂが前記テープガイド面１１ａに付着している部分の上方位置から前記粘着テープＴの前記粘着面Ｔｂに接着し、ループ状の前記つまみＴｃを作成する（図６（ｃ））。
【００３５】
このとき、前記バネ部材１５の付勢力により前記可動板１３が前記粘着テープＴの接着位置を保持される方向に付勢しており、前記可動板１３の前記テープセット面１３aは前記ベース板１１の前記テープガイド面１１aから離間して切断位置に復帰しないので、前記可動板１３が前記バネ部材１５により前記粘着テープＴの接着位置に保持されていることで（図６（ｃ））、ループ状のつまみＴｃを摘み前記粘着テープＴを前記テープカッター１から引き出して前記テープ切断部１２により切断することができる。
【００３６】
このように、簡単な操作で、前記可動板１３の前記テープセット面１３ａを前記テープガイド面１１ａの後端縁に位置させ、前記粘着テープＴの切断部Ｔｂを、前記テープガイド面１１ａの後方位置の前記粘着テープＴに接着させ、迅速かつ確実にループ状のつまみＴｃを作成することができる。
【００３７】
前記粘着テープＴのつまみ作成具１０は、前記可動板１３を前記バネ部材１５によって、前記ベース板１１に近接させ、前記粘着テープＴの切断部Ｔａと前記ベース板１１の前記テープガイド面１１ａに接着されるので、メンディングテープのような硬くて張りのある粘着テープでも安定してループ状のつまみを作成することができる。
【００３８】
また、前記粘着テープＴの先端を引くことのみでループ状のつまみＴｃを作成するので、前記テープ切断部１２の尖った鋸刃１２aが指に接触することがなく、安全性を確保できる。
【産業上の利用可能性】
【００３９】
粘着テープにループ状のつまみを簡単な操作で、迅速にループ状のつまみを作成するループ状つまみ作成具を提供する。
【符号の説明】
【００４０】
１  テープカッター
２  テープ保持部
３  塔部
１０  テープのつまみ作成具
１１  ベース板
１２  テープ切断部
１３  可動板
１５  付勢手段
Ｔ  粘着テープ
Ｔａ  テープＴの切断部
Ｔｂ  テープＴの粘着面
Ｔｃ  テープＴのつまみ
【図１】
2014227240.tif 000003
【図２】
2014227240.tif 000004
【図３】
2014227240.tif 000005
【図４】
2014227240.tif 000006
【図５】
2014227240.tif 000007
【図６】
2014227240.tif 000008